(57)【要約】      （修正有）【課題】１.取り付いた(挟み付いた)縁上に取っ手が突き出ないクリップ。２.掲示紙面に覆い被さらないで留め付け(掲示)できるクリップ。３.つまみをもち易く軽便に使用できるクリップ。【解決手段】弾性のある細状体からなるものとした。二手に折り曲って挟み合うものとした。安定した挟み付き状態を得るために、挟み合いの内奥にもう１つの補助的な挟み合い(添え押え)、または嵌り(つぼまり)をもつものとした。また付け外しがし易いものとするために、挟み合いの側部につまみ代をもつものとした。【選択図】 図１
2005262536.tif 000002
【特許請求の範囲】
【請求項１】
弾性体からなり、二手に等しく湾曲し、相互が寄り合い、外に反り曲り或いは内に曲り込んで、挟み入れ口をつくると共に、その曲りの稜で押え合う挟み合いをもつ。挟み合いの両側につまみ代をつくりもつと共に、挟み合いの内奥で押え合う添え押えをもつ。以上の如き構成からなるクリップ(図１〜６)。
【請求項２】
弾性体からなり、平らかな受け面をもつ受け側と、受け側の端から張り出して湾曲し、内に曲り込み、その曲りの稜で受け面の中ほどに押え付く押え側とからなる挟み合いをもつ。加えて、内に曲り込みの延長を、押え側(外枠)に添い合せてつまみ代をつくりもつと共に、挟み合いの内奥に至り、受け面と押え合う添え押えをつくりもつ。以上の如き構成からなるクリップ(図７〜９)。
【請求項３】
弾性体からなり、挟み合う内奥につぼまり(嵌り)をもつかたちで、二手に等しく湾曲し、相互が寄り合い、外に反り曲り或いは内に曲り込んで挟み入れ口をつくると共に、その曲りの稜で押え合う挟み合いをもつ。挟み合いの両側あるいは片側につまみ代をもつ。以上の如き構成からなるクリップ（図10、12〜17）。
【請求項４】
弾性体からなり、挟み合う内奥につぼまり(嵌り)をもつかたちで、二手に等しく湾曲し、相互に寄り合い、外に反り曲がって挟み入れ口をつくりもつと共に、その曲りの稜で押え合う挟み合いを、挟み合いの末端で横並びに連ねもつ。以上の如き構成からなるクリップ(図18)。
【発明の詳細な説明】
【技術分野】
【０００１】
スーパー、コンビニ、ドラッグストアーなどでは、段ボール箱の上半分をカットして商品の入ったままの状態で、箱ごと陳列している現状がある。本発明は段ボール箱の切り口(縁)に取り付いて、チラシ、値札などの紙片を掲示するクリップ、あるいは商品陳列棚の手前正面に、商品がずり落ちないように張られている柵板や仕切り板などの縁に取り付いて紙片を掲示するクリップで、二手に折れて挟み合う(挟み付く)形態のクリップについてである。
【背景技術】
【０００２】
従来、掲示紙片を掲げ上げて掲示するクリップはあるが、段ボール箱の切り口(の縁)や、柵板あるいは仕切り板の縁に取り付いて、その側面に掲示する適当なクリップがない。従来のほとんどのクリップは、本体にバネを組み合せ、挟み付けた状態に於いて取っ手の部分が突き出してしまうものである。また、板状体を山形に折り曲げたもので、折り畳める取っ手をもつクリップもあるが、付け外しの都度、取っ手を起こしたり寝せたりするものである。いずれのものも、挟み留め部分が掲示紙面に覆い被さってしまったり、また一見してクリップ自体がその存在を主張するものであったりする。
邪魔になり目障りになる部分をもつクリップあるいは、掲示紙面に覆い被さったり、その存在を主張するクリップは、掲示紙片、あるいは紙面を主張し、強調しようとする用途では、それにそぐうものではない。
【０００３】
【特許文献１】実開昭51−140315
【特許文献２】特開平11−91276
【発明の開示】
【発明が解決しようとする課題】
【０００４】
１.取り付いた(挟み付いた)縁の上に突き出ることなく、その側面に掲示できるクリップを得ること。
２.掲示紙面に覆い被さらないで掲示できるクリップを得ること。
３.クリップ自体の存在を主張しない、目立たない、目障りにならないかたちで掲示できるクリップを得ること。
上記のことなどを勘案して、本発明は「細状体が二手に折り曲って挟み合うクリップ」をテーマとする。
４.細状体が二手に折り曲って挟み合うクリップは、挟み付けた状態に於いて縦の中心を軸として(コマが回転するかたちの)ぶれが生れる。また、挟み合う(押え合う)位置を横軸(中心)として(車輪が転ぶかたちに)倒れ易い欠点がある。これを補う形体を得ること。
５.細状体が二手に折り曲って挟み合うクリップは、つまみどころがなく付け外し(や取り扱い)に不便である。これを補う形体を得ること。
以上の課題を体し、軽便に使用できるクリップを得て、広く利用に供することを目的とする。
【課題を解決するための手段】
【０００５】
まず１つの解決策は、主たる挟み合いの内奥に、もう１つの補助的な挟み合い(以下、添え押えとも云う)をつくりもつものとした(図１〜９)。即ち、クリップ自体が取り付くと共に掲示紙片を留め付けるための主体となるしっかりとした挟み合いの他に、クリップが取り付いた(挟み付いた)状態に於いて、クリップがぶれない、あるいは倒れないようにするために、主たる挟み合いの内奥に添え押えをもつものとした。併せて、挟み合いの両側あるいは片側につまみ代をもつものとした。
【０００６】
もう１つの解決策は、挟み合いの内奥が窄まるかたち(以下、嵌りとも云う)をもつものとした(図10〜18)。即ち、二手に折り曲って挟み合う基部である折り曲りの内奥が、つぼまりをもつ形の折り曲りをもつものとした。このことにより、取り付いた(挟み付いた)箇所の板の縁が、この窄まりに嵌り付いて、クリップ自体が安定した状態を得ることができるものとした。併せて、挟み合いの両側あるいは片側につまみ代をもつものとした。
【０００７】
細状体からなるクリップとして、丸い径をもつ線体、あるいは薄く細い板棒状体が折り曲ってなるものとした。
前者(丸い径をもつ線体)のものは、段ボール箱のような軟らかく縦の紙筋をもっている板紙の縁に挟み付けるのに特に適している。プラスチックを成形加工して作ることもできるが、金属線(以下、針金と云う)を用いると良い。
後者(薄く細い板棒状体)のものは、金属板を加工して作ることもできるが、プラスチック板を折り曲げてつくる、あるいはプラスチックを成形加工してつくると良い。
柵板や仕切板は、主としてプラスチック等の板で作られていることから、針金や金属板など金属を素材としたものであると傷をつけてしまうなどのことがあり、プラスチックを素材としたクリップが良い。
【０００８】
針金でつくるものとした場合、丸い径をもつことから、その曲り部分の稜で押え付くことは、点で押え付くものであり、文字通りバネの力を重点的に働かせることができ、掲示紙片をしっかり留め押えることができる。また、丸い径をもつ針金は、平面的に曲げ折ったクリップであっても、折り曲りの稜で正面から押え合うあるいは、押え付くものとした場合には、挟み付けたときに突き立つ形に自ら直って正しい姿勢で立体的に挟み付くものとなり、縦細に挟み付く形状の本発明のクリップに適している。
【０００９】
添え押えも、嵌りも、挟み付いた状態に於いて、縦の中心を軸にしてぶれないようにする、あるいは挟み合う位置を横軸(中心)にして横倒れしないようにするものであるが、添え押えをもつクリップと、嵌りをもつクリップを比較した場合次の異なりがある。
【００１０】
添え押えをもつクリップは、挟み付ける厚みに対して比較的適応幅が大きい。しかしその形状が幾分入り組んでいる。嵌りをもつクリップは、嵌りをつくるために挟み合いの間隔が狭いものになる。云い換えれば挟み合いを狭いものにしないと嵌り付く形をつくり難い。従って、挟み付ける厚みに対して、比較的適応幅が小さく、挟み付ける対象(板の厚み)に応じて、対応サイズのものを用意する必要がある。しかし、その形状はシンプルである。
【００１１】
添え押えをもつものも、嵌りをもつものも、挟み合いの両側あるいは片側につまみ代をもつものとした。細状体が、二手に折り曲ってなるクリップは、つまみどころがなく、そのままであればクリップとして実用性に乏しいものである。つまみ代は挟み合いの側部につまみもてる程の張り出す形あるいは、つまみもてる程の幅面をつくり、それをつまみとするもので、目立たない、あるいは目障りにならないよう、あえて、はっきりした形状あるいはイメージのものとしていないことから、この発明では一般に云うつまみに代わるつまみとして、つまみ代と呼ぶものとしている。
【００１２】
本発明のクリップは、ポスターの上端を画鋲で留め付けるようにペアーで使用すると良く、掲示紙片の大きさに合せて任意の箇所を留め付けるのに適している。
【発明の効果】
【００１３】
本発明は、以上説明したように構成されているので、以下に記述するような効果を奏する。
１．挟み付いた縁上に突き出ないで、掲示できるクリップを得た。
２．掲示紙面に覆い被さらないで挟持し、掲示できるクリップを得た。
３．挟み合いの内奥に添え押え、あるいは嵌りをもつことで安定した取り付きを得られるものとなった。また、挟み合いの側部につまみ代をもつことで、付け外しがし易いものとなった。即ち、細状体が二手に折り曲って挟み合うものではあるが、実用できるクリップとすることができた。
４．掲示紙片を板の縁の両側に、同時に留め付けて掲示できるクリップ(図１〜６、10、12〜18)を得た。
【発明を実施するための最良の形態】
【００１４】
以下、本発明の実施の形態を図によって説明する。
【００１５】
図１〜９に示すものは、挟み合いの内奥に添え押えをもったものである。図１〜６は挟み合う相対(左右)が、等しく相対する形状のものである。図１〜３は針金でつくったもの、図４〜６はプラスチックを成形してつくるとしたものである。図１は、外に反り曲りの稜で押え合う挟み合いをもったもの。図２、３は、内に曲り込みの稜で押え合う挟み合いをもったものである。
【００１６】
図１のつまみ代は、挟み入れ口を形成する部分に添い合せてつくったもので、挟み入れ口をつくる部分と、そこから折り返す部分とをつまみもてる程の幅に添い合せてつくりもつと共に、折り返しを挟み合いの内奥にまで延ばし、先端を折り合せて添え押えをつくりもったものである。図２、３のつまみ代は、内に曲り込んで挟み合う挟み合いの延長を、挟み合いを形成する枠に(５ミリ程の間隔をとって)添い合せてつくりもち、挟み合いの内奥でその先端を折り合せて添え押えをつくりもったものである。
図１、２の添え押えは、外曲りで折り合せたもの。図３の添え押えは、内曲りで折り合せたものである。
【００１７】
図４は図１を、図５は図２を、プラスチックを成形してつくるものとして、置き換えたものである。図６は、図４がやや混み入ったデザインの感があり、それを僅かに簡素にしたものである。図１の挟み合いは、外に反り曲りの稜で挟み合うものであるが、それを図４のように置き換えた時、それは外に反り曲りの稜で挟み合うものでもあるが、内に曲り込む稜で挟み合うものでもある。
図６は図４を簡素にしたものであるが、つまみ代は挟み合いの外(末端)にもった方が付け外しがし易く、図４の方が使い易い。
【００１８】
図１〜６のように、円形の挟み合いのものにすると、効率の良いバネ効果と安定した取り付き状態が得られるものになる。図２、３、５のように内に曲り込みの稜で挟み合うものについては、特に意識して挟み入れ口を深くとることと、内に曲り込んで添え押えに至る間の折り曲りを外枠に添え合うようにして、つまみもち易いかたち(つまみ代)をつくることがポイントである。
【００１９】
図７は図４を、図８は図５を、図９は図６を縦に半身にしたものである。板の縁の片側にだけ紙片を留め付けて掲示する場合には、この形状のものでも良い。この形状は、縦に半身に切った面を平らなものにしていること。そして、その面(以下、受け側とも云う)を相対側(以下、押え側とも云う)より深く入るものとしている。
その形状から、つまみ代をつまみ持って、挟み入れ口を引き開き加減に挟み付けすることができるものになる。挟み付けに於いては、まず受け側の下端にはみ出した(深く入る)部分を挟み付ける板の縁に当て付けて、引き下げ、あるいは引き開き加減に挟み入れ口を引き開いて、挟み付けできるものになるので、軟らかい紙片でも、厚手の紙片でも容易に留め付けできるものになる。
【００２０】
このことから、図２、３、５では挟み入れ口をはっきりした形で、できるだけ深くもつものにしているのに対し、縦半身にした図８では挟み入れ口について特別に考慮しないかたちで図示した。このことは縦半身にした場合は、挟み入れ口を引き開いて挟み留めることができることを説明する上からのことで、勿論、挟み入れ口は図２、３、５のように、はっきりした形でできるだけ深くもつことが望ましい。
【００２１】
図10〜18に示すものは、挟み合いの最奥がつぼまる形の折り曲り(嵌り)をもつものとし、このつぼまり(窄まり)に嵌める或いは嵌る関係で、安定した取り付き状態を得ようとするものである。そのつぼまりをつくる関係から、全体として縦細に挟み合うものとしている。
【００２２】
図10〜13は、外に反り曲りの稜で押え合うものである。そして図10〜12は針金を折り曲げてつくったもの、図13はプラスチック片を折り曲げてつくったものである。図14〜17は、内に曲り込みの稜で押え合うものである。そして図14、16、17は、針金を折り曲げてつくったもの、図15はプラスチック片を折り曲げてつくったものである。
【００２３】
図11は、挟み合いの最奥がつぼむかたちの嵌りをもつことで、安定した状態に挟み付くことを説明する図である。挟み入れた板の縁が挟み合いの最奥に嵌りつくことで、挟み合いの縦の中心(ｙ)を軸としたぶれを防ぐと共に、挟み合う(押え合う)位置(ｘ)を横軸とした転びを防ぎ、安定した取り付きを得ることができる。  
【００２４】
嵌りをもつクリップについて、もう１つ大切なことは、狭め(縦細)の挟み合いとすることである。図11で見るなら、縦の中心(ｙ)を軸にして挟み合う横幅を広がりすぎないようにすることで、縦の中心を軸にした振り動き(ぶれ)を小さなものにして、安定した挟み付きを得ることができる。
【００２５】
図10〜13は、外に反り曲りの稜で挟み合う挟み合いをもつもので、それぞれは基本的に同じものである。また、つまみ代は外に反り曲がりの延長をつまみもてる程につくりもったものである。図12は図10に対して、更に縦細にした例であると共に、つまみ代を片側にだけもつもので、挟み付く対象によって対応した形態をとることができるとした例である。図13は、プラスチックを折り曲げてつくったもので、挟み合いの片側の端を斜めに大きく張り出し、それをつまみ代とした例である。
【００２６】
請求項１、３、４に於いて「二手に等しく湾曲し…押え合う挟み合い」として説明しているが、図12、13では、つまみ代を片側にだけもつものとした例を図示しているように、「二手に等しく湾曲…」の意味は、二手に折り曲りの基端から、押え合う部位までの挟み合いをつくるための相対が等しく折り曲りをもつものとし、挟み合いの均衡を計るものであって、押え合い部位からの延長する末端については、相等しく折り曲る必要を説くものではない。
【００２７】
図18は、図10〜13と同様、外に反り曲りの稜で押え合う挟み合いをもつものである。図13を置き替えた如き形状のものである。図18は、筋状に挟み合う２つの挟み合いを添い合せた、あるいは、横並びに連ねたものである。点で押え合う２つの挟み合いをもつことで、格別に安定した状態に挟み付く(留め付けできる)ものである。
図18は、針金を折り曲げて作った例で、片側の末端で連ねもつものとしているが、プラスチックを成形して作るような場合には、両側の末端で連ねもつものとしても良い。
【００２８】
図18は、２つの筋状の挟み合いをつまみもてる程の間隔(５ミリほどのつまみ幅)に添い合せて、裏表からつまみもてるかたちのつまみ代を設けた例で、図13の如き挟み合いの末端を外側に張り出した形のつまみ代とは異なり、二筋の狭間に指の腹が当たるかたちで、しっくり摘みもつことができる。
尚、添い合せの間隔は、つまみ幅に限らず任意に設定しても良い。連ねもつ幅(添い合せの間隔)を広めのものにした場合には、図１〜10、12〜17のものと異なり、ペアで使用することなく、ワンクリップで留め付けできるものにもなる。
【００２９】
図14〜17は、内に曲り込みの稜で挟み合う挟み合いをもつもので、それぞれは基本的に同じものである。また、つまみ代は挟み合いを形成する外枠と、内に曲り込みの部分とでつくりもったものである。図14、15は、挟み入れ口の真横に張り出しのつまみ代をもつもの。図16、17は、中間部を絞ってやや下垂れに張り出しのつまみ代をもつもの。図15は、図14についてプラスチックを折り曲げあるいは成形してつくるとした例である。
【００３０】
各所で「二手に折り曲って…押え合う挟み合い」と云う語句を使用しているが、この語句は必ずしも押え合う相互が接触し、押し合っている状態と云う意味ではない。最初から挟み入れ口を開き加減にしたもの、あるいは挟み入れ口を閉じたものなど、留め付ける対象の厚みに対応できる形態をとるもので、嵌め挟んだ状態に於いて挟み合う相互が、その対象を挟み留めることができるものとした形状、あるいは形態をもつと云う意味である。
【００３１】
以上、多くの図をもって説明したが、掲示紙面に覆い被さらないで、掲示できるものにしたい。邪魔になる部分をもたないで掲示できるものにしたい。などとする掲示のあり方、クリップが取り付いた縁から、突き出ることなく取り付いた位置の表側、あるいは両側に掲示したい、などとする掲示の仕方など多くの課題を解決するためのものである。本発明では、掲示のあり方及び掲示の仕方を解決するために、弾性のある細状体からなるものとした。また、バネ仕掛けや、そのための取っ手をもたないクリップとして、挟み付けで発生する応力で挟み付くものとした。そして、二手に折れ曲って挟み合うものとした。また安定した挟み付き状態を得るために、挟み合いの内奥に添え押え、または嵌りをもつものとした。また、取り扱い或いは付け外しがし易いものとして、挟み合いの側部につまみ代をもつものとした。
【００３２】
実施例では、針金(番手＃14、16、18など)、ビニール線、ステンレス線などワイヤーやプラスチックの板片、細片を用いた。
【産業上の利用可能性】
【００３３】
本発明のクリップは、段ボール箱の切り口に挟み付いての掲示や、商品陳列棚の柵板など、板の縁に挟み付けての掲示などに広く使用することもできるもので、陳列商品のアピールに役立ち、販売促進に大きく役立つものである。  
【図面の簡単な説明】
【００３４】
【図１】本発明の１つであるクリップの斜視図である。
【図２】本発明の１つであるクリップの斜視図である。
【図３】本発明の１つであるクリップの斜視図である。
【図４】本発明の１つであるクリップの斜視図である。
【図５】本発明の１つであるクリップの斜視図である。
【図６】本発明の１つであるクリップの斜視図である。
【図７】本発明の１つであるクリップの斜視図である。
【図８】本発明の１つであるクリップの斜視図である。
【図９】本発明の１つであるクリップの斜視図である。
【図１０】本発明の１つであるクリップの斜視図である。
【図１１】本発明の１つを説明する図である。
【図１２】本発明の１つであるクリップの斜視図である。
【図１３】本発明の１つであるクリップの斜視図である。
【図１４】本発明の１つであるクリップの斜視図である。
【図１５】本発明の１つであるクリップの斜視図である。
【図１６】本発明の１つであるクリップの斜視図である。
【図１７】本発明の１つであるクリップの斜視図である。
【図１８】本発明の１つであるクリップの斜視図である。
【符号の説明】
【００３５】
1A〜18A    挟み合い
1B〜18B    つまみ代
1C〜9C     添え押え
7Aa〜9Aa    受け側
7Ab〜9Ab    押え側
10D〜18D    嵌り(つぼまり)
【図１】
2005262536.tif 000003
【図２】
2005262536.tif 000004
【図３】
2005262536.tif 000005
【図４】
2005262536.tif 000006
【図５】
2005262536.tif 000007
【図６】
2005262536.tif 000008
【図７】
2005262536.tif 000009
【図８】
2005262536.tif 000010
【図９】
2005262536.tif 000011
【図１０】
2005262536.tif 000012
【図１１】
2005262536.tif 000013
【図１２】
2005262536.tif 000014
【図１３】
2005262536.tif 000015
【図１４】
2005262536.tif 000016
【図１５】
2005262536.tif 000017
【図１６】
2005262536.tif 000018
【図１７】
2005262536.tif 000019
【図１８】
2005262536.tif 000020